(57)【要約】【課題】取り替えやすい組立式の靴底の提供。【解決手段】本考案はフッドベッドの底部をベルクロテープを利用して、インソールと可動的に結合させる。インソールには結合穴が数多く設けられている。それは滑り止め及び凹み防止に優れる熱可塑性の弾力的なアウトソールのパーツを装着するときに利用される。当該アウトソールのパーツを結合穴に装着してから、止めピンで固定する。いかなるアウトソールのパーツが毀損して新しく取り替えなければいけなくなるとき、止めピンを元来の固定位置から取り出し、アウトソールのパーツを結合穴から引っ張り出し、その後、新品のものを前記手順と逆の順番で行えば、簡単にアウトソールのパーツを交換できる。【選択図】図２
0003134321.tif 000002
【実用新案登録請求の範囲】
【請求項１】
フッドベッドに設けられている数多くの結合穴は、弾力的なアウトソールのパーツを装着するために使用され、アウトソールのパーツは結合穴に設置されてから止めピンで固定することを特徴とする取り替えやすい組立式靴底。
【請求項２】
前記フッドベッドにある数多くの孔は、構造的に言えばT字型ホールになり、当該T字型ホールの横向き凹み部にはアウトソールのパーツの上段固定板を設置することができ、T字型ホールの縦向きホールには、アウトソールの中段ネック部を装着することができることを特徴とする前記請求項１に記載の取り替えやすい組立式靴底。
【請求項３】
当該アウトソールのパーツの中段ネック部の寸法は、ホールの深さよりやや長いため、止めピンを固定できることを特徴とする前記請求項２に記載の取り替えやすい組立式靴底。
【請求項４】
当該止めピンは基本的に円盤型の止めボタンであり、ラッパ状の開口が設けられているため、止めピンが簡単にアウトソールの中段ネック部を貫通する上に、トンネルを通過し、取付孔に固定でき、ラッパ状の開け口の位置に対して、止めピンは外側に向かって延長し続け、出っ張っているハンドルになり、利用者には、前記ハンドルを握る位置として定め、止めピンを設置することができることを特徴とする前記請求項１または請求項３に記載の取り替えやすい組立式靴底。
【考案の詳細な説明】
【技術分野】
【０００１】
本考案は靴底を提供している。特に取り替えやすい組立式の靴底を指している。
【背景技術】
【０００２】
伝統の靴底は多くＰＵ発泡で一体成型されるので、使えば使うほど激しく毀損する。一方、人々のウォーキングフォームがそれぞれ違う。例えば、ある人は外股歩き、ある人はまったく逆の内股歩き。そのため、人々の違うウォーキングフォームによって、靴底の減り具合もそれぞれ異なるのである。よって、靴底の削り具合が限界になると、靴底のほかの部分がまた使えるか使えないかと関係なく、新しいものに取り替えなければいけないのである。
【考案の開示】
【考案が解決しようとする課題】
【０００３】
本考案の主要な目的は取り替えやすい組立式の靴底を提供することである。伝統の一体成型の靴底をばらばらにし、規格化されたアウトソールのパーツで組立方法により靴底を作り、減り具合のある部分をいつでも取り替えられる。
【０００４】
本考案の副次目的は、取り替えやすい組立式の靴底を提供することである上に、当該規格化されたアウトソールのパーツがいろいろな色を採用することによって、靴底の面白さ、斬新さ及び視覚上の美しさを向上させることである。
【０００５】
上記目的を達成するには、本考案はフッドベッドの底部をベルクロテープを利用して、インソールと可動的に結合させる。それは滑り止め及び凹み防止に優れる熱可塑性の弾力的なアウトソールのパーツを装着するのに利用される。当該アウトソールのパーツを結合穴に装着してから、止めピンで固定する。いかなるアウトソールのパーツが毀損で新しく取り替えなければいけなくなる場合、止めピンを元来の固定位置から取り出し、アウトソールのパーツを結合穴から引っ張り出し、その後、新品のものを前記手順と逆の順番で行えば、簡単にアウトソールのパーツを交換できる。
【課題を解決するための手段】
【０００６】
請求項１の考案は、フッドベッドに設けられている数多くの結合穴は、弾力的なアウトソールのパーツを装着するために使用され、アウトソールのパーツは結合穴に設置されてから止めピンで固定することを特徴とする取り替えやすい組立式靴底としている。
請求項２の考案は、前記フッドベッドにある数多くの孔は、構造的に言えばT字型ホールになり、当該T字型ホールの横向き凹み部にはアウトソールのパーツの上段固定板を設置することができ、T字型ホールの縦向きホールには、アウトソールの中段ネック部を装着することができることを特徴とする前記請求項１に記載の取り替えやすい組立式靴底としている。
請求項３の考案は、当該アウトソールのパーツの中段ネック部の寸法は、ホールの深さよりやや長いため、止めピンを固定できることを特徴とする前記請求項２に記載の取り替えやすい組立式靴底としている。
請求項４の考案は、当該止めピンは基本的に円盤型の止めボタンであり、ラッパ状の開口が設けられているため、止めピンが簡単にアウトソールの中段ネック部を貫通する上に、トンネルを通過し、取付孔に固定でき、ラッパ状の開け口の位置に対して、止めピンは外側に向かって延長し続け、出っ張っているハンドルになり、利用者には、前記ハンドルを握る位置として定め、止めピンを設置することができることを特徴とする前記請求項１または請求項３に記載の取り替えやすい組立式靴底としている。
【考案の効果】
【０００７】
本考案は取り替えやすい組立式の靴底を提供する。伝統の一体成型の靴底をばらばらにし、規格化されたアウトソールのパーツで組立方法により靴底を作り、減り具合のある部分をいつでも取り替えられる。当該規格化されたアウトソールのパーツがいろいろな色を採用することによって、靴底の面白さ、斬新さ及び視覚上の美しさを向上させる。
【考案を実施するための最良の形態】
【０００８】
本考案の特徴は、本考案の図面及び実施例を説明する内容を参考すると、分かりやすくなる。
【０００９】
まず、本考案の靴底を組立てた後の平面図及び断面図を示す図１、図２を参照する。図３、図４には本考案のインソールの平面図および断面図が示されている。
【００１０】
図面に示されているように、フッドベッド１の底部はベルクロテープ２を利用して、インソール３と可動的に結合させ、インソール３には多くの結合穴３１を設ける。それは滑り止め及び凹み防止に優れる熱可塑性の弾力的なアウトソールのパーツ４を装着するときに利用される。当該アウトソールのパーツ４を結合穴３１に装着してから、止めピン５で固定する。いかなるアウトソールのパーツ４が毀損で新しく取り替えなければいけなくなるとき、止めピン５を元来の固定位置から取り出し、アウトソールのパーツ４を結合穴３１から引っ張り出し、その後、新品のものを前記手順と逆の順番で行えば、簡単にアウトソールのパーツ４を交換できる。  
【００１１】
その中、インソール３に予めに設置されている数多くの結合穴３１は、構造的に言えばT字型のホールになっている。図５には、本考案のアウトソールのパーツをフッドベッドのT字型ホールに設置されているときの断面図が示されている。T字型ホールの横向き凹み部３１１には、アウトソールのパーツ４上段の固定板４１を設置することに用いられる。T字型ホールの縦向きホール３１２には、アウトソールの中段ネック部４２を装着することができる。アウトソールのパーツの中段ネック部４２の寸法はホール３１２の深さよりやや長いため、止めピン５を固定できる。もし、図のＡを局所拡大して見れば、止めピン５は円盤状の止めボタンになっていることが分かる。ラッパ状開け口５１が設けられているため、止めピン５が簡単にアウトソールのパーツの中段ネック部４２を貫通する上に、トンネル５２を通過し、取付孔５３に固定できる。ラッパ状開け口の位置５１に対して、止めピン５が外側に向かって延長し続け、出っ張っているハンドル５４になっている。利用者にとっては、前記ハンドルを握る位置として定め、止めピン５を設置することができる。
【００１２】
経験によると、靴底のもっとも毀損しやすい箇所はヒールとトゥである。コスト上の考慮も含めて、図６に示されているように、本考案はもっとも毀損しやすいヒール及びトゥの部分を上記組立式のアウトソールにて作成する。中足骨から足弓までの部分について、引き続いて一体成型の伝統アウトソールにて作成する。
【００１３】
上記した本考案の構造と特徴について、如何なるアウトソールのパーツが毀損して、新しいものを取り替えなければいけなくなるとき、止めピンを取付孔から引っ張り出し、アウトソールのパーツをT字型ホールから引っ張り出し、その後、新品のものを前記手順と逆の順番で行えば、簡単にアウトソールのパーツを交換できる。
【図面の簡単な説明】
【００１４】
【図１】本考案の靴底の組立が完成した後の平面図。
【図２】本考案の靴底の組立が完成した後の断面図。
【図３】本考案のインソールの平面図。
【図４】本考案のインソールの断面図。
【図５】本考案のアウトソールのパーツをインソールのT字型ホールに装着した場合の断面図。止めピンの拡大図。
【図６】本考案の一体成型の伝統アウトソール及び組立式のアウトソールを組立てた後の平面図。
【符号の説明】
【００１５】
１  フッドベッド
２  ベルクロテープ
３  インソール
３１  結合穴
３１１  凹み部
３１２  ホール
４  アウトソールのパーツ
４１  固定板
４２  ネック部
５  止めピン
５１  ラッパ状開け口
５２  トンネル
５３  取付孔
５４  ハンドル
【図１】
0003134321.tif 000003
【図２】
0003134321.tif 000004
【図３】
0003134321.tif 000005
【図４】
0003134321.tif 000006
【図５】
0003134321.tif 000007
【図６】
0003134321.tif 000008